(57)【要約】      （修正有）【課題】小型薄型化で低コストの容量式タッチ検出装置を提供する。【解決手段】容量式タッチ検出装置は、等間隔に配列される複数の第１の電極２０と、第１の電極にそれぞれ電気的に接続される複数の第１の電極リード線２２と、等間隔に配列される複数の第２の電極２４と、複数の第２の電極にそれぞれ直列に電気的に接続される複数の第２の電極リード線２６と、を含む。複数の第１の電極と複数の第２の電極は交差配置される。【選択図】図２
0003178825.tif 000002
【実用新案登録請求の範囲】
【請求項１】
等間隔に配列される複数の第１の電極と、
前記第１の電極にそれぞれ電気的に接続される複数の第１の電極リード線と、
等間隔に配列される複数の第２の電極と、
前記複数の第２の電極にそれぞれ直列に電気的に接続される複数の第２の電極リード線と、
を含み、
前記複数の第１の電極と前記複数の第２の電極は交差配置されることを特徴とする容量式タッチ検出装置。
【請求項２】
前記第１の電極の形状は略Ｙ字形を呈することを特徴とする請求項１に記載の容量式タッチ検出装置。
【請求項３】
前記第１の電極は第１の部分と二つの第２の部分を有し、
前記第１の部分は水平方向に延伸し、
前記二つの第２の部分は、前記第１の部分における相対する両側に連接されると共に、斜め方向に延伸することを特徴とする請求項１に記載の容量式タッチ検出装置。
【請求項４】
前記第２の電極の形状は略Ｙ字形を呈することを特徴とする請求項１に記載の容量式タッチ検出装置。
【請求項５】
前記第２の電極は第３の部分と二つの第４の部分を有し、
前記第３の部分は水平方向に延伸し、
前記二つの第４の部分は、前記第３の部分における相対する両側に連接されると共に、斜め方向に延伸することを特徴とする請求項１に記載の容量式タッチ検出装置。
【請求項６】
前記第１の電極リード線と前記第２の電極リード線は、複数の斜め部分をそれぞれ形成することを特徴とする請求項１に記載の容量式タッチ検出装置。
【請求項７】
前記第１の電極リード線、前記第２の電極リード線、前記第１の電極及び前記第２の電極の材料は透明導電材料であることを特徴とする請求項１に記載の容量式タッチ検出装置。
【請求項８】
透明基板を更に含み、
前記複数の第１の電極リード線、前記複数の第２の電極リード線、前記複数の第１の電極及び前記複数の第２の電極は前記透明基板の上に形成されることを特徴とする請求項１に記載の容量式タッチ検出装置。
【請求項９】
前記第１の電極の形状は略Ｍ字形を呈することを特徴とする請求項１に記載の容量式タッチ検出装置。
【請求項１０】
前記第２の電極の形状は略Ｍ字形を呈することを特徴とする請求項１に記載の容量式タッチ検出装置。
【考案の詳細な説明】
【技術分野】
【０００１】
本考案は、容量式タッチ検出装置に関するものであり、特に単層構造の容量式タッチ検出装置に関するものである。
【背景技術】
【０００２】
図１は、従来の容量式タッチ検出装置１の電極パターンの模式図を示すものである。図１に示すように、容量式タッチ検出装置１では、第１次プロセスにより基板の表面に二つの同士が近接する複数の第１軸方向の電極ブロック１０、複数の第１軸方向の配線１１及び二つの同士が近接する複数の第２軸方向の電極ブロック１２が形成される。第１軸方向の配線１１は、複数の第１軸方向の電極ブロック１０を電気的に接続する。複数の第２軸方向の電極ブロック１２は、第１軸方向の配線１１の両側に配置される。続いて、第２次プロセスにより第１軸方向の配線１１の上に絶縁層１５が形成される。続いて、第３次プロセスにより複数の第２軸方向の電極ブロック１２の間には金属からなる第２軸方向の配線１３が形成される。第１軸方向の配線１１と第２軸方向の配線１３の間は電気的に絶縁する。これにより、タッチ回路のパターンが構成される。
【考案の概要】
【考案が解決しようとする課題】
【０００３】
従来の容量式タッチ検出装置１の製造方法では、プロセスが複雑であること、コストが高いこと、第１軸方向の電極ブロック１０と接続する第１の電極リード線１４及び第２軸方向の電極ブロック１２と接続する第２の電極リード線１６の何れもが金属材料であるため、一部のタッチエリアを占用することによってタッチパネル式電子機器のディスプレイの面積が小さくなってしまうことなどの問題があった。
【０００４】
そこで上記事情を鑑みて、本考案の第１の目的は、小型薄型化で低コストの容量式タッチ検出装置を提供することにある。
【０００５】
本考案の第２の目的は、ユーザーがタッチするタッチエリアの面積を増加することで検出精度を向上できる容量式タッチ検出装置を提供することにある。
【０００６】
本考案の第３の目的は、第１の電極リード線と第２の電極リード線のレイアウトによってタッチパネル式電子機器のディスプレイの面積が小さくなってしまうことのない容量式タッチ検出装置を提供することにある。
【課題を解決するための手段】
【０００７】
本考案に係る容量式タッチ検出装置は、等間隔に配列される複数の第１の電極と、前記第１の電極にそれぞれ電気的に接続される複数の第１の電極リード線と、等間隔に配列される複数の第２の電極と、前記複数の第２の電極にそれぞれ直列に電気的に接続される複数の第２の電極リード線と、を含む。前記複数の第１の電極と前記複数の第２の電極は交差配置されていてもよい。前記第１の電極と前記第２の電極の形状は略Ｙ字形を呈していてもよい。
【考案の効果】
【０００８】
本考案に係る容量式タッチ検出装置は、単層構造を備え、且つ、第１の電極リード線と第２の電極リード線が単一のプロセスにより形成されるため、複数のプロセスを行うことなく、小型薄型化で低コストの容量式タッチ検出装置を提供することができる。
【０００９】
また、本考案において、第１の電極と第２の電極の形状は大体Ｙ字形（略Ｙ字形）を呈しており、第１の電極と第２の電極は斜め方向に延伸する第２の部分と第２の部分を有しており、第１の電極リード線と第２のリード線は非直線配置であるため、従来技術の直線配置と比べると、本考案に係る容量式タッチ検出装置は、ユーザーがタッチするタッチエリアの面積を増加することで検出精度を有効に向上できる。
【００１０】
また、本考案において、第１の電極リード線、第２の電極リード線、第１の電極及び第２の電極の材料は透明導電材料であるため、タッチエリアを占用することによってタッチパネル式電子機器のディスプレイの面積が小さくなってしまうことなどの欠点を解消できる。
【図面の簡単な説明】
【００１１】
【図１】従来の容量式タッチ検出装置の電極パターンの模式図を示すものである。
【図２】本考案に係る容量式タッチ検出装置の第１の実施例の一部模式図を示すものである。
【図３】本考案に係る容量式タッチ検出装置の第２の実施例の一部模式図を示すものである。
【考案を実施するための形態】
【００１２】
以下、本明細書と図面に開示された本考案の実施形態は、本考案の技術内容をより分かりやすく説明し、本考案の理解を助けるために実施例を挙げたことに過ぎず、本考案の範囲を限定するものではない。ここに開示された実施形態以外にも、本考案の技術的思想に基づく他の変形例も実施可能であることは、本考案の属する技術分野における当業者に自明なことである。
【実施例】
【００１３】
図２は、本考案に係る容量式タッチ検出装置の第１の実施例の一部模式図を示すものである。容量式タッチ検出装置２は、複数の第１の電極２０、複数の第１の電極リード線２２、複数の第２の電極２４、複数の第２の電極リード線２６及び透明基板２８を含む。複数の第１の電極２０、複数の第１の電極リード線２２、複数の第２の電極２４及び複数の第２の電極リード線２６は、透明基板２８の上に形成される。透明基板２８は、例えばガラス、ポリカーボネート（ｐｏｌｙｃａｒｂｏｎａｔｅ、ＰＣ）、ポリエステル（ｐｏｌｙｅｓｔｅｒ、ＰＥＴ）、ポリメチルメタクリレート（ｐｏｌｙｍｅｔｈｙｌｍｅｔｈａｃｒｙｌａｔｅ、ＰＭＭＡ）又は環状オレフィン共重合体（ｃｙｃｌｉｃ ｏｌｅｆｉｎ ｃｏｐｏｌｙｍｅｒ、ＣＯＣ）などの材料から選択して形成された透明薄板である。
【００１４】
図２に示すように、複数の第１の電極２０は等間隔に配列される。第１の電極２０の形状は略Ｙ字形を呈することが好ましい。本実施例において、各第１の電極２０は、第１の部分２０１と二つの第２の部分２０２をそれぞれ有する。第１の部分２０１は水平方向に延伸しており、略長方形を呈する。二つの第２の部分２０２は、第１の部分２０１における相対する両側に連接すると共に、斜め方向に延伸する。第２の部分２０２は、略菱形を呈する。各第１の電極リード線２２は、第１の電極２０にそれぞれ電気的に接続される。
【００１５】
また、図２に示すように、複数の第２の電極２４は等間隔に配列される。複数の第１の電極２０と複数の第２の電極２４は交差配置される。第２の電極２４の形状は略Ｙ字形を呈することが好ましい。本実施例において、各第２の電極２４は、第３の部分２４１と二つの第４の部分２４２をそれぞれ有する。第３の部分２４１は、水平方向に延伸しており、略長方形を呈する。二つの第４の部分２４２は、第３の部分２４１における相対する両側に連接すると共に、斜め方向に延伸する。第４の部分２４２は、略菱形を呈する。また、各第２の電極リード線２６は、複数の第２の電極２４に直列に電気的に接続される。第１の電極リード線２２、第２の電極リード線２６は、第１の電極２０と第２の電極２４の形状に応じて複数の斜め部分２２１、２２６をそれぞれ形成する。
【００１６】
本実施例において、第１の電極リード線２２、第２の電極リード線２６、第１の電極２０及び第２の電極２４の材料は透明導電材料である。透明導電材料は、インジウムスズ酸化物（ＩＴＯ）、インジウム亜鉛酸化物（ＩＺＯ）、亜鉛アルミニウム酸化物（ＺｎＯ−Ａｌ）、ナノ銀（ｎａｎｏ  ｓｉｌｖｅｒ）、ナノ銅（ｎａｎｏ  Ｃｕ）、導電高分子、カーボンナノチューブ（ｃａｒｂｏｎ  ｎａｎｏｔｕｂｅ）、グラフェン（Ｇｒａｐｈｅｎｅ）、臭化銀（ＡｇＢｒ）、酸化インジウムガリウム亜鉛（ＩＧＺＯ）のうちから一つを選択してもよい。
【００１７】
図３は、本考案に係る容量式タッチ検出装置の第２の実施例の一部模式図を示すものである。第２の実施例と図２に示す第１の実施例との相違点は電極パターンにある。図３に示すように、容量式タッチ検出装置３は、複数の第１の電極３０、複数の第１の電極リード線３２、複数の第２の電極３４、複数の第２の電極リード線３６及び透明基板３８を含む。複数の第１の電極３０、複数の第１の電極リード線３２、複数の第２の電極３４、複数の第２の電極リード線３６は透明基板３８の上に形成される。
【００１８】
図３に示すように、複数の第１の電極３０は等間隔に配列される。第１の電極３０と第２の電極３４の形状はそれぞれ略Ｍ字形を呈することが好ましい。複数の第１の電極３０と複数の第２の電極３４は交差配置される。
【００１９】
上述したように、本考案によれば、図２に示す容量式タッチ検出装置２は単層構造を備える容量式タッチ検出装置であり、且つ、第１の電極リード線２２と第２の電極リード線２６、第１の電極２０及び第２の電極２４は単一のプロセスにより形成されるため、複数のプロセスを行うことなく、小型薄型化で低コストの容量式タッチ検出装置を提供することができる。
【００２０】
また、本考案において、第１の電極２０と第２の電極２４の形状は略Ｙ字形を呈しており、第１の電極２０と第２の電極２４は斜め方向に延伸する第２の部分２０２と第２の部分２４２を有しており、第１の電極リード線２２と第２のリード線２６は非直線配置であるため、従来技術の直線配置と比べると、本考案に係る容量式タッチ検出装置は、ユーザーがタッチするタッチエリアの面積を増加することで検出精度を有効に向上できる。
【００２１】
また、本考案において、第１の電極リード線２２、第２の電極リード線２６、第１の電極２０及び第２の電極２４の材料は透明導電材料であるため、タッチエリアを占用することによってタッチパネル式電子機器のディスプレイの面積が小さくなってしまうことなどの欠点を解消できる。
【００２２】
上述したものは本考案の好ましい一例に過ぎず、本考案の実用新案登録請求の範囲を限定するものではない。本考案の明細書及び図面内容に基づいてなされた均等な変更および付加は、いずれも本考案の実用新案登録請求の範囲内に含まれるものとする。
【符号の説明】
【００２３】
１      容量式タッチ検出装置
１０    第１軸方向の電極ブロック
１１    第１軸方向の配線
１２    第２軸方向の電極ブロック
１３    第２軸方向の配線
１４    第１の電極リード線
１５    絶縁層
１６    第２の電極リード線
２      容量式タッチ検出装置
２０    第１の電極
２０１  第１の部分
２０２  第２の部分
２２    第１の電極リード線
２２１  斜め部分
２４    第２の電極
２４１  第３の部分
２４２  第４の部分
２６    第２の電極リード線
２６１  斜め部分
２８    透明基板
３      容量式タッチ検出装置
３０    第１の電極
３２    第１の電極リード線
３４    第２の電極
３６    第２の電極リード線
３８    透明基板
【図１】
0003178825.tif 000003
【図２】
0003178825.tif 000004
【図３】
0003178825.tif 000005